(57)【要約】【課題】充電器と携帯端末との隙間に、お茶やコーヒーなどの液体をこぼし、液体が表面張力により隙間全体に広がっても、簡単な構成で、充電端子間がショートしないようにすると共に、充電端子の腐食を防止する。【解決手段】充電器本体２の上端に底面３ａ及び保持側面３ｂを有する収容凹部３を形成し、収容凹部３の底面３ａに形成した端子用開口３ｄから先端が突出するように一対の充電器側充電端子４を配置する。充電器本体２に携帯電話機（携帯端末）を保持した状態で、充電器側充電端子４を携帯電話機の側面に設けた一対の電池側充電端子に当接させて電流を供給するように構成する。一対の充電器側充電端子４間に収容凹部３の底面３ａと保持側面３ｂとの隅角部３ｃまで延びる排水用溝部７を形成し、排水用溝部７における隅角部３ｃに、収容凹部３の底面３ａから充電器本体２の底面２ａまで貫通する排水孔８を形成する。【選択図】図１
2011091924.tif 000002
【特許請求の範囲】
【請求項１】
充電器本体に携帯端末を保持した状態で該携帯端末に内蔵した充電池を充電する携帯端末用充電器において、
上記充電器本体の上端に形成され、後方に向かって下方へ傾斜する底面及び該底面に連続して上方へ延びる保持側面を有する収容凹部と、
上記収容凹部の底面に形成した端子用開口から先端が突出するように配置され、上記携帯端末の側面に設けた一対の電池側充電端子に当接して電流を供給する一対の充電器側充電端子と、
上記一対の充電器側充電端子間に形成され、上記収容凹部の底面と上記保持側面との隅角部まで延び、後方に向かって下方へ傾斜する底面を有すると共に、開口側の幅が該充電器側充電端子間の距離よりも若干狭く充電器側充電端子近傍まで広がる排水用溝部とを備え、
上記排水用溝部における上記隅角部には、上記収容凹部の底面から上記充電器本体の底面まで下方へ貫通する排出孔が形成されている
ことを特徴とする携帯端末用充電器。
【請求項２】
請求項１に記載の携帯端末用充電器において、
上記排水用溝部の長さは、上記携帯端末の側面における上記電池側充電端子近傍の幅と同じ又はそれよりも長い
ことを特徴とする携帯端末用充電器。
【請求項３】
請求項２に記載の携帯端末用充電器において、
上記排水用溝部は、上記携帯端末本体の前面まで延び、該排水用溝部により、上記収容凹部の底面が上記一対の充電器側充電端子間で分断されている
ことを特徴とする携帯端末用充電器。
【請求項４】
請求項１乃至３のいずれか１つに記載の携帯端末用充電器において、
上記収容凹部の底面には、上記携帯端末が該収容凹部に収容されたときに、該携帯端末側面に当接し、該携帯端末側面と該収容凹部底面との間に隙間を確保する隙間確保用突起が形成されている
ことを特徴とする携帯端末用充電器。
【請求項５】
請求項１乃至４のいずれか１つに記載の携帯端末用充電器において、
上記収容凹部には、上記排水用溝部から離れた位置に、該収容凹部の底面よりも低く凹陥された凹陥部が形成され、該凹陥部の底面にも上記携帯端末本体の底面まで延びる貫通孔が形成されている
ことを特徴とする携帯端末用充電器。
【発明の詳細な説明】
【技術分野】
【０００１】
本発明は、携帯端末用の充電器に関し、特にその充電中の短絡防止に関するものである。
【背景技術】
【０００２】
携帯端末、特に携帯電話機は、充電が必要なときに家庭用コンセントに接続した充電器に載置して内部の電池の充電を行った上で携帯される。電池の電気量が少ない場合には、満充電にするために、数時間の充電が必要になる。その間にお茶やコーヒーなどの液体を不注意により充電中の携帯電話機及び充電器にこぼすことがある。このとき、液体が充電器と携帯電話機との間の隙間に流れ込むと、液面は表面張力によって縮まろうとする方向に力が加わって隙間全体に広がり、充電端子間がショートする危険性がある。
【０００３】
そこで、例えば、特許文献１のように、筐体内に回路基板が収納され、この回路基板に基端側が固定された充電端子の先端側が筐体に形成された開口部から外部に露出させられている充電器において、充電端子はその中途部分が回路基板の上方以外の場所に配置されると共に基端側より下方に位置するように屈曲させられており、筐体の底部には水抜用の穴部が設けられている。この充電器では、筐体内に浸入した水滴を充電端子以外の電子部品に付着させないで筐体外へ排出できるようにしている。
【０００４】
また、特許文献２では、ケースの上面に、パック電池や電子機器等の二次電池を内蔵している携帯機器を脱着自在に装着する装着部を有し、装着部の周囲に携帯機器を位置決めして装着する周壁を配設し、装着部の底面には、携帯機器に設けている充電端子に接触する接点を、電極窓から外部に表出させている充電器において、装着部の接点を、装着部の底面に設けた凸部に配設すると共に、この接点の近傍の周壁に水抜き溝を設けており、さらに、水抜き溝が、装着部の底面から外側に向かって下り勾配に傾斜している。これにより、極めて簡単な構造で、電池の漏液や水がケース内に侵入するのを有効に阻止するようにしている。
【先行技術文献】
【特許文献】
【０００５】
【特許文献１】特開平６−２４３８９８号公報
【特許文献２】特開２０００−１９５５６２号公報
【発明の概要】
【発明が解決しようとする課題】
【０００６】
しかしながら、特許文献１では、充電端子の上方からこの充電端子に直接水がかかったときには、充電端子に伝わる水が水抜用の穴部から外に排出されるが、あくまで充電端子には水がかかるので、そのときにショートが発生しないようにする機構が必要となる。さらに、液体に塩分等が含まれていると、充電端子が腐食するおそれがある。
【０００７】
また、特許文献２では、充電器の内部に水が入らないようにしているが、装着部の底面上に流れ込んだ水が、表面張力により装着部の接点周辺に残って、この残った水により接点がショートする可能性が残るという問題がある。
【０００８】
そこで、本発明は、充電器と携帯端末との隙間に、お茶やコーヒーなどの液体をこぼし、液体が表面張力により隙間全体に広がっても、充電端子間がショートしないようにすると共に、充電端子の腐食を防止することを目的とする。
【課題を解決するための手段】
【０００９】
上記の目的を達成するために、この発明では、一対の充電器側充電端子間に排水用溝部と排水孔とを設けた。
【００１０】
具体的には、第１の発明では、充電器本体に携帯端末を保持した状態で、この携帯端末に内蔵した充電池を充電する携帯端末用充電器を前提とする。
【００１１】
そして、上記携帯端末用充電器は、
上記充電器本体の上端に形成され、後方に向かって下方へ傾斜する底面及び該底面に連続して上方へ延びる保持側面を有する収容凹部と、
上記収容凹部の底面に形成した端子用開口から先端が突出するように配置され、上記携帯端末の側面に設けた一対の電池側充電端子に当接して電流を供給する一対の充電器側充電端子と、
上記一対の充電器側充電端子間に形成され、上記収容凹部の底面と上記保持側面との隅角部まで延び、後方に向かって下方へ傾斜する底面を有すると共に、開口側の幅が該充電器側充電端子間の距離よりも若干狭く充電器側充電端子近傍まで広がる排水用溝部とを備え、
上記排水用溝部における上記隅角部には、上記収容凹部の底面から上記充電器本体の底面まで下方へ貫通する排出孔が形成されている。
【００１２】
上記の構成によると、充電中に携帯端末の側面と収容凹部の底面との間に液体が流れ込むと、液体の大部分は、収容凹部底面の傾斜に沿って底面と保持側面との間の隅角部に流れ込むが、携帯端末の側面と収容凹部の底面との間には表面張力によって液体が広がろうとする。しかし、充電器側充電端子周辺の液体は、排水用溝部があるので、表面張力によって充電器側充電端子間にとどまることはなく、充電器側充電端子間の排水用溝部に流れ込む。流れ込んだ液体は、排水用溝部の底面の傾斜に沿って排水孔に効果的に集められ、排水孔を通って携帯端末用充電器外に排出される。このため、充電器側充電端子間に液体が残らないので、携帯端末用充電器に液体をこぼしたとしても、充電器側充電端子におけるショートが発生せず、充電器側充電端子が腐食しない。また、一対の充電器側充電端子間に排水用溝部と排水孔を設けるという簡単な構成で、充電器のサイズを大きくすることなく、充電器側充電端子のショート及び腐食を確実に防止することができる。
【００１３】
第２の発明では、第１の発明において、
上記排水用溝部の長さは、上記携帯端末の側面における上記電池側充電端子近傍の幅と同じ又はそれよりも長い。
【００１４】
上記の構成によると、排水用溝部の長さが、携帯端末の側面における電池側充電端子近傍の幅と同じ又はそれよりも長いので、短すぎて表面張力の影響を受けて携帯端末側面と収容凹部底面との間に液体が溜まることなく、排水用溝部からスムーズに流れ込み、排水孔を通って充電器本体の底面まで達する。このため、充電器側充電端子間に液体が残らないので、携帯端末用充電器に液体をこぼしても、充電器側充電端子におけるショートが発生せず、充電器側充電端子が腐食しない。
【００１５】
第３の発明では、第２の発明において、
上記排水用溝部は、上記携帯端末本体の前面まで延び、該排水用溝部により、上記収容凹部の底面が上記一対の充電器側充電端子間で分断されている。
【００１６】
上記の構成によると、充電器側充電端子の一方側に液体を大量にこぼしても、他方側に流れ込まずに排水用溝部を通って排出されるので、さらに効果的に充電器側充電端子間のショートの発生が防止されると共に、充電器側充電端子の腐食が防止される。
【００１７】
第４の発明では、第１乃至第３のいずれか１つの発明において、
上記収容凹部の底面には、上記携帯端末が該収容凹部に収容されたときに、該携帯端末側面に当接し、該携帯端末側面と該収容凹部底面との間に隙間を確保する隙間確保用突起が形成されている。
【００１８】
上記の構成によると、隙間確保用突起により、携帯端末側面と収容凹部底面との間に所定の大きさの隙間を確保し、この隙間に液体がとどまらないようにすることができる。このため、液体が排水用溝部に流れ込んで、充電器側充電端子間に液体は溜まらないので、ショート及び腐食は発生しない。
【００１９】
第５の発明では、第１乃至第４のいずれか１つの発明において、
上記収容凹部には、上記排水用溝部から離れた位置に、該収容凹部の底面よりも低く凹陥された凹陥部が形成され、該凹陥部の底面にも携帯端末本体の底面まで延びる貫通孔が形成されている。
【００２０】
上記の構成によると、凹陥部側に流れ込んだ液体は、充電器側端子側へ流れず、その貫通孔から携帯端末本体の底面側へ流れ出すので、さらに確実に充電器側端子のショート及び腐食の発生を防止することができる。
【００２１】
また、第１乃至第５のいずれか１つの発明において、
上記収容凹部における端子用開口の周縁は、上方へ膨出しているのが望ましい。
【００２２】
上記の構成によると、表面張力によって収容凹部表面に液体が広がっても、端子の根元に液体が流れ込まないので、端子の根元から充電器本体内部に液体が流れ込まず、充電器側充電端子におけるショートが発生せず、充電器側充電端子が腐食しない。
【発明の効果】
【００２３】
以上説明したように、本発明によれば、一対の充電器側充電端子間に収容凹部の隅角部まで延びる排水用溝部を設け、この排水用溝部における隅角部に、収容凹部の底面から充電器本体の底面まで貫通する排出孔を形成したことにより、充電器と携帯端末との隙間に、お茶やコーヒーなどの液体をこぼし、液体が表面張力により隙間全体に広がっても、簡単な構成で、充電端子間がショートしないようにすると共に、充電端子の腐食を防止することができる。
【図面の簡単な説明】
【００２４】
【図１】本発明の実施形態にかかる充電器を示す斜視図である。
【図２】充電器に携帯電話機を保持した充電状態を示す斜視図である。
【図３】充電器の平面図である。
【図４】充電器の左側面図である。
【図５】充電器の底面図である。
【図６】携帯電話機の側面図である。
【発明を実施するための形態】
【００２５】
以下、本発明の実施形態を図面に基づいて説明する。
【００２６】
図１は、本発明の実施形態にかかる携帯端末用充電器としての充電器１を示す。図２に、この充電器１に携帯端末としての携帯電話機１００を保持した状態で、この携帯電話機１００に内蔵した充電池（図示せず）を充電する様子を示す。
【００２７】
図３〜図５にも示すように、充電器１は、例えば樹脂成型品よりなる中空の充電器本体２を備えている。充電器本体２は、机上に載置するための矩形状の底面２ａと、この底面２ａに連続し、底面２ａから互いに近付く方向に傾斜した上方に延びる前面２ｂ、後面２ｃ及び左右側面２ｄ，２ｅを有する。後面２ｃの方が前面２ｂよりも面積が広くなるように、充電器本体２の上端には、収容凹部３が形成されている。この収容凹部３は、携帯電話機１００を収容したときに、携帯電話機１００の左側面１００ａが当接する底面３ａと、携帯電話機１００の背面が当接する保持側面３ｂとを備えている。底面３ａは、前面２ｂから後面２ｃに向かって下方へ傾斜し、この底面３ａに連続する保持側面３ｂは、底面３ａとでつくる隅角部３ｃから後方に向かって上方へ傾斜して延びている。このことで、収容凹部３に携帯電話機１００を保持したときには、携帯電話機１００も後方へ傾くようになっている。
【００２８】
図６に示すように、携帯電話機１００は、左側面１００ａに一対の電池側充電端子１０１が形成されている。電池側充電端子１０１の隣には、例えばＳＤカード挿入孔１０２とイヤホン挿入孔１０３とが設けられている。
【００２９】
収容凹部３の底面３ａには、この一対の電池側充電端子１０１に当接して電流を供給する一対の充電器側充電端子４の先端が突出している。各充電器側充電端子４は、この充電器側充電端子４の先端よりも若干大きい端子用開口３ｄから覗いている。充電器側充電端子４は、弾性を有し、押し付けると充電器本体２内に入り込み、押し付ける力を弱めると端子用開口３ｄから先端が飛び出す方向へ押し返すように充電器本体２内に装着されている。端子用開口３ｄの周縁は、その周囲の底面３ａよりも高く膨出する膨出部３ｅが形成されている。一対の端子用開口３ｄを左右から挟むように、収容凹部３の底面３ａには、携帯電話機１００が収容凹部３に収容されたときに、携帯電話機１００の左側面１００ａに当接する一対の隙間確保用突起６が形成されている。この隙間確保用突起６により、左側面１００ａと底面３ａとの間に適度の隙間Ｃ（図２にのみ示す）を確保している。
【００３０】
収容凹部３の左右側面には、携帯電話機１００を収容凹部３に挿入したときに、携帯電話機１００に係止して携帯電話機１００を保持する係止部１０が形成されている。また、収容凹部３の右側の隅角部３ｃには、携帯電話機１００を保持したときに押されると、充電器側充電端子４に電流を送り込む押圧用スイッチ１１が設けられている。さらに収容凹部３の左側には、携帯電話機１００を保持したときに、携帯電話機１００のイヤホン挿入孔１０３に挿入したイヤホン（図示せず）との接触を回避するイヤホン用凹陥部１２が形成されている。このイヤホン用凹陥部１２にも充電器本体２の底面２ａまで延びる貫通孔１３が形成されている。イヤホン用凹陥部１２の底面は、貫通孔１３に液体が流れ込むように貫通孔１３に向かって傾斜している。
【００３１】
そして、一対の充電器側充電端子４間には、収容凹部３の底面３ａと保持側面３ｂとが交わる隅角部３ｃまで排水用溝部７が延びている。例えば、排水用溝部７の前端は、充電器本体２の前面２ｂから若干距離を空けて設けられ、その長さは、携帯電話機１の左側面１００ａにおける電池側充電端子１０１近傍の幅（厚さ）よりも長く設定されている。排水用溝部７の底面７ａは、収容凹部３の底面３ａの傾斜度よりも大きな角度で充電器本体２の底面２ａに対して傾斜している。排水用溝部７における隅角部３ｃには、収容凹部３の底面３ａ（排水用溝部７の底面７ａ）から充電器本体２の底面３ａまで貫通する排水孔８が形成されている。例えば、表面張力の影響を受けずに排水を可能とするために、充電器側充電端子４間の距離は、７ｍｍ以上で、かつ排水用溝部７及び排水孔８の幅は４ｍｍ以上７ｍｍ以下であるのが望ましい。なお、貫通孔１３の幅は、排水孔８よりも小さくてもよい。
【００３２】
図５に示すように、充電器本体２の底面２ａには、机などの接地面に当接する例えば４つの設置用突起２ｆが形成されている。底面２ａにおける上記排水孔８及び貫通孔１３の周辺は、他の底面２ａよりも上方へ凹陥された排水用凹陥部９が形成されている。
【００３３】
次に、本実施形態にかかる充電器１を用いた携帯電話機１００の充電方法について説明する。
【００３４】
詳しくは図示しないが、充電器本体２に充電用コードを接続し、そのコンセントを家庭用電源に接続しておく。
【００３５】
次いで、図２に示すように、携帯電話機１００をその左側面１００ａが充電器本体２の収容凹部３の底面３ａに向くように、収容凹部３に挿入する。充電中にユーザーが携帯電話機１００の音声を聞きたいときには、イヤホン挿入孔１０３にイヤホンを挿入しておく。この場合には、イヤホンの接続部は、イヤホン用凹陥部１２に収容されるので、携帯電話機１００を収容凹部３に保持する際の妨げとならない。
【００３６】
すると、係止部１０が携帯電話機１００の上下端部を係止すると共に、充電器側充電端子４の先端が電池側充電端子１０１に触れる。それと同時に押圧用スイッチ１１が押されるので、充電器側充電端子４と電池側充電端子１０１とが電気的に接続され、電流が流れて充電が開始される。
【００３７】
例えばイヤホンで音声を聞きながら、お茶やコーヒーなどの液体を飲んでいると、不注意で充電中の携帯電話機１００及び充電器１にこぼすことがある。充電器１上にこぼれた液体は、収容凹部３に流れ込む。収容凹部３の表面に流れ込んだ液体量が多いときには、底面３ａの傾斜に沿って隅角部３ｃ側へ流れ込むが、図３にハッチングで示すように、表面張力により、隙間確保用突起６により形成された携帯電話機１００の左側面１００ａと収容凹部３の底面３ａとの間の隙間Ｃにも一気に広がる。一方、イヤホン用凹陥部１２に入り込んだ液体は、貫通孔１３へ流れ込み、貫通孔１３を通って充電器１の外に排出される。
【００３８】
そして、充電器側充電端子４間の距離を７ｍｍ以上で、かつ排水用溝部７の幅を４ｍｍ以上７ｍｍ以下とし、排水用溝部７の長さを携帯電話機１００の左側面１００ａにおける電池側充電端子１０１近傍の幅よりも長くしているので、充電器側充電端子４周辺の隙間Ｃに溜まった液体は、表面張力の影響を受けずに排水用溝部７に流れ込む。
【００３９】
排水用溝部７に流れ込んだ液体は、底面７ａの傾斜に沿って排水孔８に効果的に集められる。そして、排水孔８を通って充電器１の外に排出される。
【００４０】
しかも、収容凹部３における充電器側充電端子４の周囲に膨出部３ｅが形成されているので、表面張力によって収容凹部３の底面３ａに液体が広がっても、充電器側充電端子４の根元に液体が流れ込まない。このため、充電器側充電端子４の根元から充電器本体２内部に液体が流れ込まない。
【００４１】
そして、充電器本体２の底面２ａにおける排水孔８及び貫通孔１３の周辺の排水用凹陥部９は、他の底面２ａよりも上方へ凹陥されている。このため、排水孔８及び貫通孔１３に流れ込んだ液体が底面２ａと接地面との間に溜まらないようになっている。
【００４２】
したがって、本実施形態にかかる充電器１によると、一対の充電器側充電端子４間に収容凹部３の隅角部３ｃまで延びる排水用溝部７を設け、この排水用溝部７における隅角部３ｃに、収容凹部３の底面３ａから充電器本体２の底面３ａまで貫通する排水孔８を形成したことにより、充電器１と携帯電話機１００との隙間Ｃに、お茶やコーヒーなどの液体をこぼし、液体が表面張力により隙間Ｃの全体に広がっても、充電器側充電端子４間がショートしないようにして、充電器側充電端子４の腐食を防止することができる。
【００４３】
また、一対の充電器側充電端子４間に排水用溝部７と排水孔８を設けるという極めて簡単な構成で、充電器１のサイズを大きくすることなく、充電器側充電端子４のショート及び腐食を防止することができる。
【００４４】
（その他の実施形態）
本発明は、上記実施形態について、以下のような構成としてもよい。
【００４５】
すなわち、排水用溝部７の長さを携帯電話機１００の左側面１００ａの電池側充電端子１０１近傍の幅よりも長くしているが、左側面１００ａの幅と同等でもよい。左側面１００ａの幅と同等であれば、充電器側充電端子４間の隙間Ｃに液体が溜まらない。
【００４６】
しかしながら、排水用溝部７により、収容凹部３の底面３ａが一対の充電器側充電端子４間で完全に分断されるように、排水用溝部７を充電器本体２の前面２ｂまで延ばしてもよい。この構成によると、充電器側充電端子４の一方側に液体を大量にこぼしても、他方側に流れ込まずに排水用溝部７を通って排出されるので、さらに効果的にショートの発生及び充電器側充電端子４の腐食を防止することができる。
【００４７】
上記実施形態では、端子用開口３ｄの周縁に、その周囲の底面３ａよりも高く膨出する膨出部３ｅを形成したが、必ずしも膨出部３ｅを形成する必要はない。その場合には、端子用開口３ｄの近傍まで排水用溝部７の開口側端部の幅を広げるのが望ましい。
【００４８】
上記実施形態では、携帯端末は、携帯電話機としたが、ＰＨＳ、ＰＤＡ、ＰＣ、モバイルツール、電子辞書、電卓、ゲーム機等であってもよい。
【００４９】
なお、以上の実施形態は、本質的に好ましい例示であって、本発明、その適用物や用途の範囲を制限することを意図するものではない。
【符号の説明】
【００５０】
１      充電器（携帯端末用充電器）
２      充電器本体
２ａ    底面
２ｂ    前面
３      収容凹部
３ａ    底面
３ｂ    保持側面
３ｃ    隅角部
３ｄ    端子用開口
３ｅ    膨出部
４      充電器側充電端子
６      隙間確保用突起
７      排水用溝部
７ａ    底面
８      排水孔
１２      イヤホン用凹陥部
１３      貫通孔
１００      携帯電話機（携帯端末）
１００ａ    左側面
１０１      電池側充電端子
【図１】
2011091924.tif 000003
【図２】
2011091924.tif 000004
【図３】
2011091924.tif 000005
【図４】
2011091924.tif 000006
【図５】
2011091924.tif 000007
【図６】
2011091924.tif 000008